(57)【要約】【課題】肌状態の多角的な解析を高精度に行う。【解決手段】所定の照明条件により被験者の顔が撮影された画像を用いて肌状態の解析を行うための肌状態解析方法において、前記画像から肌の毛穴、角栓のポルフィリン、しわ、しみ、肌色のうち、少なくとも１つを解析する解析ステップと、前記画像と前記解析ステップから得られる解析結果とを前記被験者の肌の測定日時や被験者情報に対応させて蓄積する蓄積ステップと、前記蓄積ステップにより蓄積された前記被験者毎の前記画像や前記解析結果を表示させる画面を生成する表示画面生成ステップと、前記表示画面生成ステップにより生成された情報を出力する出力ステップとを有することにより、上記課題を解決する。【選択図】図３
2007152084.tif 000002
【特許請求の範囲】
【請求項１】
所定の照明条件により被験者の顔が撮影された画像を用いて肌状態の解析を行うための肌状態解析方法において、
前記画像から肌の毛穴、角栓のポルフィリン、しわ、しみ、肌色のうち、少なくとも１つを解析する解析ステップと、
前記画像と前記解析ステップから得られる解析結果とを前記被験者の肌の測定日時や被験者情報に対応させて蓄積する蓄積ステップと、
前記蓄積ステップにより蓄積された前記被験者毎の前記画像や前記解析結果を表示させる画面を生成する表示画面生成ステップと、
前記表示画面生成ステップにより生成された情報を出力する出力ステップとを有することを特徴とする肌状態解析方法。
【請求項２】
前記解析ステップは、
毛穴、しわ解析にはフラッシュ撮影した画像を用い、しみ、肌色解析には拡散光撮影した画像を用い、角栓のポルフィリン解析には紫外線照明下で可視光を受光して撮影した画像を用いて解析を行うことを特徴とする請求項１に記載の肌状態解析方法。
【請求項３】
前記表示画面生成ステップは、
前記被験者の最新の測定結果と前記蓄積ステップにより蓄積された過去の測定結果との中から複数の測定結果を経時的に表示させることを特徴とする請求項１又は２に記載の肌状態解析方法。
【請求項４】
前記表示画面生成ステップは、
表示される時間軸の時間間隔を、前記測定回数又は実際の日時に基づいて設定し、表示させることを特徴とする請求項３に記載の肌情報解析方法。
【請求項５】
前記表示画面生成ステップは、
前記画像から解析を行う範囲を設定する際、複数表示された画像のうち、１つの画像において設定した解析対象範囲を、他の画像上にも対応づけて表示させることを特徴とする請求項３に記載の肌状態解析方法。
【請求項６】
前記表示画面生成ステップは、
前記被験者の測定結果を予め蓄積された年齢別分布における評価結果に対応付けて表示させることを特徴とする請求項１乃至５の何れか１項に記載の肌状態解析方法。
【請求項７】
前記表示画面生成ステップは、
前記年齢別分布において、肌状態を分類分けした少なくとも１つの評価範囲を設定し、設定された評価範囲と解析結果とを表示させることを特徴とする請求項６に記載の肌状態解析方法。
【請求項８】
所定の照明条件により被験者の顔が撮影された画像を用いて肌状態の解析を行うための肌状態解析装置において、
前記画像から肌の毛穴、角栓のポルフィリン、しわ、しみ、肌色のうち、少なくとも１つを解析する解析手段と、
前記画像と前記解析手段から得られる解析結果とを前記被験者の肌の測定日時や被験者情報に対応させて蓄積する蓄積手段と、
前記蓄積手段により蓄積された前記被験者毎の前記画像や前記解析結果を表示させる画面を生成する表示画面生成手段と、
前記表示画面生成手段により生成された情報を出力する出力手段とを有することを特徴とする肌状態解析装置。
【請求項９】
前記解析手段は、
毛穴、しわ解析にはフラッシュ撮影した画像を用い、しみ、肌色解析には拡散光撮影した画像を用い、角栓のポルフィリン解析には紫外線照明下で可視光を受光して撮影した画像を用いて解析を行うことを特徴とする請求項８に記載の肌状態解析装置。
【請求項１０】
前記表示画面生成手段は、
前記被験者の最新の測定結果と前記蓄積ステップにより蓄積された過去の測定結果との中から複数の測定結果を経時的に表示させることを特徴とする請求項８又は９に記載の肌状態解析装置。
【請求項１１】
前記表示画面生成手段は、
表示される時間軸の時間間隔を、前記測定回数又は実際の日時に基づいて設定し、表示させることを特徴とする請求項１０に記載の肌情報解析装置。
【請求項１２】
前記表示画面生成手段は、
前記画像から解析を行う範囲を設定する際、複数表示された画像のうち、１つの画像において設定した解析対象範囲を、他の画像上にも対応づけて表示させることを特徴とする請求項１０に記載の肌状態解析装置。
【請求項１３】
前記表示画面生成手段は、
前記被験者の測定結果を予め蓄積された年齢別分布における評価結果に対応付けて表示させることを特徴とする請求項８乃至１２の何れか１項に記載の肌状態解析装置。
【請求項１４】
前記表示画面生成手段は、
前記年齢別分布において、肌状態を分類分けした少なくとも１つの評価範囲を設定し、設定された評価範囲と解析結果とを表示させることを特徴とする請求項１３に記載の肌状態解析装置。
【請求項１５】
請求項１乃至７の何れか１項に記載の肌状態解析方法を実行させるようにコンピュータを動作させることを特徴とする肌状態解析プログラム。
【請求項１６】
請求項１５に記載の肌状態解析プログラムが記録されたコンピュータ読み取り可能な記録媒体。
【発明の詳細な説明】
【技術分野】
【０００１】
本発明は、肌状態解析方法、肌状態解析装置、肌状態解析プログラム、及び該プログラムが記録された記録媒体に係り、特に肌状態の多角的な解析を高精度に行うための肌状態解析方法、肌状態解析装置、肌状態解析プログラム、及び該プログラムが記録された記録媒体に関する。
【背景技術】
【０００２】
従来、化粧カウンセリングや医療の分野において、肌（皮膚）の状態を解析するための様々な手法が提案されている。例えば、肌の毛穴やしわ、しみ等といった皮膚の表面状態を解析するため、予め全顔撮影装置等を用いて複数の方向から被験者の顔を同一の撮影条件で撮影し、撮影された画像データを用いて顔の診断を行う手法がある（例えば、特許文献１，特許文献２、特許文献３等を参照。）。
【特許文献１】特開２００４−３０２４２４号公報
【特許文献２】特開２００４−４１７５３号公報
【特許文献３】特開２０００−３５０７０２号公報
【発明の開示】
【発明が解決しようとする課題】
【０００３】
ところで、上述した全顔撮影装置から撮影されたデジタル画像を用いて解析する際、より高精度な肌解析を行うためには、肌の毛穴、角栓のポルフィリン、しわ、しみ、肌色等が必要であるが、これらをそれぞれ最適な照明条件で撮影しているものはなく、例えばフラッシュ撮影や紫外線（ＵＶ）撮影により得られる画像からでは、しみや肌色の場合は十分な解析ができなかった。
【０００４】
更に、これらの情報について、その解析結果や撮影画像の観察だけでなく、年代分布や経時変化等を表示してカウンセラーや医師等の測定者に提示して肌状態の多角的な解析を高精度に行う装置については提案されていなかった。
【０００５】
本発明は、上記の問題点に鑑みてなされたものであって、肌状態の多角的な解析を高精度に行うための肌状態解析方法、肌状態解析装置、肌状態解析プログラム、及び該プログラムが記録された記録媒体を提供することを目的とする。
【課題を解決するための手段】
【０００６】
上記課題を解決するために、本件発明は、以下の特徴を有する課題を解決するための手段を採用している。
【０００７】
請求項１に記載された発明は、所定の照明条件により被験者の顔が撮影された画像を用いて肌状態の解析を行うための肌状態解析方法において、前記画像から肌の毛穴、角栓のポルフィリン、しわ、しみ、肌色のうち、少なくとも１つを解析する解析ステップと、前記画像と前記解析ステップから得られる解析結果とを前記被験者の肌の測定日時や被験者情報に対応させて蓄積する蓄積ステップと、前記蓄積ステップにより蓄積された前記被験者毎の前記画像や前記解析結果を表示させる画面を生成する表示画面生成ステップと、前記表示画面生成ステップにより生成された情報を出力する出力ステップとを有することを特徴とする。
【０００８】
請求項１記載の発明によれば、肌の毛穴、角栓のポルフィリン、しわ、しみ、肌色の解析結果から肌状態の多角的な解析を高精度に行うことができる。
【０００９】
請求項２に記載された発明は、前記解析ステップは、毛穴、しわ解析にはフラッシュ撮影した画像を用い、しみ、肌色解析には拡散光撮影した画像を用い、角栓のポルフィリン解析には紫外線照明下で可視光を受光して撮影した画像を用いて解析を行うことを特徴とする。
【００１０】
請求項２記載の発明によれば、それぞれ最適な画像を用いて解析をより高精度に行うことができる。
【００１１】
請求項３に記載された発明は、前記表示画面生成ステップは、前記被験者の最新の測定結果と前記蓄積ステップにより蓄積された過去の測定結果との中から複数の測定結果を経時的に表示させることを特徴とする。
【００１２】
請求項３記載の発明によれば、経時的な状態の変化を正確に把握することができる。これにより、被験者に即した多角的な診断を行うことができる。
【００１３】
請求項４に記載された発明は、前記表示画面生成ステップは、表示される時間軸の時間間隔を、前記測定回数又は実際の日時に基づいて設定し、表示させることを特徴とする。
【００１４】
請求項４記載の発明によれば、種々の時間表示が実現できる。また、実際の日時の経過を正確に把握することができるため、測定日以外の肌状態の推測を容易に行うことができる。
【００１５】
請求項５に記載された発明は、前記表示画面生成ステップは、前記画像から解析を行う範囲を設定する際、複数表示された画像のうち、１つの画像において設定した解析対象範囲を、他の画像上にも対応づけて表示させることを特徴とする。
【００１６】
請求項５記載の発明によれば、解析する全ての画面に対して解析範囲を設定する必要がなく、効率的且つ迅速に解析範囲を設定することができる。また、他の画像との解析範囲の誤差を無くして高精度な解析を実現することができる。
【００１７】
請求項６に記載された発明は、前記表示画面生成ステップは、前記被験者の測定結果を予め蓄積された年齢別分布における評価結果に対応付けて表示させることを特徴とする。
【００１８】
請求項６記載の発明によれば、被験者の測定結果を他の同年代（同世代）のデータと対比させて表示することで、被験者に即した多角的な診断を行うことができる。
【００１９】
請求項７に記載された発明は、前記表示画面生成ステップは、前記年齢別分布において、肌状態を分類分けした少なくとも１つの評価範囲を設定し、設定された評価範囲と解析結果とを表示させることを特徴とする。
【００２０】
請求項７記載の発明によれば、肌状態の高精度に把握することができる。
【００２１】
請求項８に記載された発明は、所定の照明条件により被験者の顔が撮影された画像を用いて肌状態の解析を行うための肌状態解析装置において、前記画像から肌の毛穴、角栓のポルフィリン、しわ、しみ、肌色のうち、少なくとも１つを解析する解析手段と、前記画像と前記解析手段から得られる解析結果とを前記被験者の肌の測定日時や被験者情報に対応させて蓄積する蓄積手段と、前記蓄積手段により蓄積された前記被験者毎の前記画像や前記解析結果を表示させる画面を生成する表示画面生成手段と、前記表示画面生成手段により生成された情報を出力する出力手段とを有することを特徴とする。
【００２２】
請求項８記載の発明によれば、肌の毛穴、角栓のポルフィリン、しわ、しみ、肌色の解析結果から肌状態の多角的な解析を高精度に行うことができる。
【００２３】
請求項９に記載された発明は、前記解析手段は、毛穴、しわ解析にはフラッシュ撮影した画像を用い、しみ、肌色解析には拡散光撮影した画像を用い、角栓のポルフィリン解析には紫外線照明下で可視光を受光して撮影した画像を用いて解析を行うことを特徴とする。
【００２４】
請求項９記載の発明によれば、それぞれ最適な画像を用いて解析をより高精度に行うことができる。
【００２５】
請求項１０に記載された発明は、前記表示画面生成手段は、前記被験者の最新の測定結果と前記蓄積ステップにより蓄積された過去の測定結果との中から複数の測定結果を経時的に表示させることを特徴とする。
【００２６】
請求項１０記載の発明によれば、経時的な状態の変化を正確に把握することができる。これにより、被験者に即した多角的な診断を行うことができる。
【００２７】
請求項１１に記載された発明は、前記表示画面生成手段は、表示される時間軸の時間間隔を、前記測定回数又は実際の日時に基づいて設定し、表示させることを特徴とする。
【００２８】
請求項１１記載の発明によれば、種々の時間表示が実現できる。また、実際の日時の経過を正確に把握することができるため、測定日以外の肌状態の推測を容易に行うことができる。
【００２９】
請求項１２に記載された発明は、前記表示画面生成手段は、前記画像から解析を行う範囲を設定する際、複数表示された画像のうち、１つの画像において設定した解析対象範囲を、他の画像上にも対応づけて表示させることを特徴とする。
【００３０】
請求項１２記載の発明によれば、解析する全ての画面に対して解析範囲を設定する必要がなく、効率的且つ迅速に解析範囲を設定することができる。また、他の画像との解析範囲の誤差を無くして高精度な解析を実現することができる。
【００３１】
請求項１３に記載された発明は、前記表示画面生成手段は、前記被験者の測定結果を予め蓄積された年齢別分布における評価結果に対応付けて表示させることを特徴とする。
【００３２】
請求項１３記載の発明によれば、被験者の測定結果を他の同年代（同世代）のデータと対比させて表示することで、被験者に即した多角的な診断を行うことができる。
【００３３】
請求項１４に記載された発明は、前記表示画面生成手段は、前記年齢別分布において、肌状態を分類分けした少なくとも１つの評価範囲を設定し、設定された評価範囲と解析結果とを表示させることを特徴とする。
【００３４】
請求項１４記載の発明によれば、肌状態の高精度に把握することができる。
【００３５】
請求項１５に記載された発明は、請求項１乃至７の何れか１項に記載の肌状態解析方法を実行させるようにコンピュータを動作させることを特徴とする肌状態解析プログラムである。
【００３６】
請求項１５記載の発明によれば、肌状態の多角的な解析を高精度に行うことができる。また、プログラムをインストールすることにより、汎用のパーソナルコンピュータ等で本発明における肌状態の解析を容易に実現することができる。
【００３７】
請求項１６に記載された発明は、請求項１１に記載の肌状態解析プログラムを記録したコンピュータ読み取り可能な記録媒体である。
【００３８】
請求項１６記載の発明によれば、記録媒体により他の複数のコンピュータに容易に肌状態解析プログラムをインストールすることができる。また、プログラムをインストールすることにより、汎用のパーソナルコンピュータ等で本発明における肌状態の解析を容易に実現することができる。
【発明の効果】
【００３９】
本発明によれば、肌状態の多角的な解析を高精度に行うことができる。
【発明を実施するための最良の形態】
【００４０】
以下に、本発明における肌状態解析方法、肌状態解析装置、肌状態解析プログラム、及び該プログラムが記録された記録媒体を好適に実施した形態について、図面を用いて説明する。
【００４１】
＜システム構成＞
図１は、本発明における肌状態解析システムの概略構成の一例を示す図である。図１に示す肌状態解析システム１０は、全顔画像取得装置１１と、肌状態解析装置１２とを有するよう構成されており、全顔画像取得装置１１及び肌状態解析装置１２は、インターネットやＬＡＮ（Ｌｏｃａｌ  Ａｒｅａ  Ｎｅｔｗｏｒｋ）等に代表される通信ネットワーク１３によりデータの送受信が可能な状態で接続されている。
【００４２】
全顔画像取得装置１１は、例えばＣＣＤ（Ｃｈａｒｇｅ  Ｃｏｕｐｌｅｄ  Ｄｅｖｉｃｅ）カメラ等を用いて所定の照明条件に基づいて被験者の全顔をカメラ位置に対して少なくとも１つの角度から撮影し、撮影したデジタル画像を取得する。なお、本発明において顔や肌を撮影するための手法としては、例えば、ＳＩＡ（Ｓｋｉｎ  Ｉｍａｇｅ  Ａｎａｌｙｚｅｒ）のような全顔画像計測システムを用いることができ、また上述した特許文献１に示されている撮影装置等を用いることもできるが、本発明においてはこれに限定されない。
【００４３】
また、全顔画像取得装置１１は、毛穴、角栓のポルフィリン、しわ、しみ、肌色（例えばメラニン量等）のうち、少なくとも１つの解析を行うために画像を撮影する。具体的には、毛穴及びしわを解析する場合には、フラッシュ撮影により顔画像を取得し、またしみ及び肌色を解析する場合には、拡散光を用いた撮影により顔画像を取得する。更に角栓のポルフィリンを解析する場合には、紫外線照射下で可視光を受光して撮影することにより、画像を取得する。
【００４４】
また、全顔画像取得装置１１は、撮影した画像等の測定結果の各情報を通信ネットワーク１３を介して肌状態解析装置１２に送信する。
【００４５】
肌状態解析装置１２は、全顔画像取得装置１１から送信された画像データ等に基づいて、肌の毛穴、ポルフィリン、しわ、しみ、肌色を解析し、その解析結果や撮影画像の観察だけでなく、年代分布や経時変化等を分析して表示画面に表示する。
【００４６】
なお、図１に示すシステム構成は、概略的に全顔画像取得装置１１及び肌状態解析装置１２をそれぞれ１台有する構成となっているが、本発明においてはこれに限定されるものではなく、例えば全顔画像取得装置１１及び／又は肌状態解析装置１２が複数台有するよう構成されていてもよい。また、全顔画像取得装置１１における被験者の肌を撮像するための各構成を肌状態解析装置１２内に設けてもよく、肌状態を解析する元画像がすでに存在する場合には、全顔画像取得装置１１を設けなくてよい。
【００４７】
＜全顔画像取得装置１１＞
次に、全顔画像取得装置１１の機能構成例について図を用いて説明する。図２は、全顔画像取得装置の機能構成の一例を示す図である。図２に示す全顔画像取得装置１１は、入力手段２１と、出力手段２２と、メンバー管理手段２３と、撮影手段２４と、蓄積手段２５と、送受信手段２６と、制御手段２７とを有するよう構成されている。
【００４８】
入力手段２１は、使用者等からのカウンセリング等を行うメンバー（被験者）の登録や、測定実施日時の登録等を行う際の各種データの入力を受け付ける。また、入力手段２１は、使用者からの撮影（測定）実施指示や肌状態解析装置１２へのデータの送信指示等を受け付ける。なお、入力手段２１は、例えばキーボードや、マウス等のポインティングデバイス等からなる。
【００４９】
また、出力手段２２は、入力手段２１により入力された内容や、入力内容に基づいて実行された内容を表示する。なお、出力手段２２は、ディスプレイやスピーカ等からなる。更に、出力手段２２は、プリンタ等の機能を有していてもよく、その場合には簡単な測定結果を紙等の印刷媒体に印刷して、被験者等に提供することもできる。
【００５０】
また、メンバー管理手段２３は、メンバーの個人情報及び測定回数等を管理する。具体的には、メンバー管理手段２３は、メンバーの登録を行ったり、既に登録され蓄積手段２５に蓄積されているメンバーを呼び出し、参照、修正、削除等を行うことができる。
【００５１】
なお、メンバー情報として登録される内容としては、例えば、各メンバーや測定内容等を識別するための「カルテＮｏ．」や、「氏名」、「生年月日」、「性別」、「測定部位」、「メモ（備考）」等がある。また、登録されるメンバー情報は、本発明においては特に制限されることはなく、例えば「生年月日」の変わりに「年代」等を登録するような設定にしてもよい。また、メンバーを呼び出す場合には、上述した「カルテＮｏ．」や「氏名」等を用いる。
【００５２】
撮影手段２４は、ＣＣＤ（Ｃｈａｒｇｅ−Ｃｏｕｐｌｅｄ  Ｄｅｖｉｃｅｓ）カメラ等よりデジタル画像を取得することができ、被験者の全顔を複数の角度（例えば、正面、右顔、左顔等）から撮影する。また、撮影手段２４は、照明としてフラッシュ撮影、拡散光を用いた撮影、紫外線を照射して可視光の撮影が可能な装置を使用する。なお、撮影手段２４はとしては、例えば上述したＳＩＡを適用することができるが、本発明においてはこれに限定されない。
【００５３】
なお、撮影手段２４における撮影内容については後述する。また、撮影された画像を用いた解析処理は、履歴情報を用いて経時的（時系列）に連続して処理を行うことができる。そのため、撮影される全顔画像に差ができないようにする必要がある。したがって、撮影手段２４は、撮影時にカメラ等の撮像装置に対して被験者の顔の位置をディスプレイ等の画面に表示（プレビュー）し、例えば使用者等がプレビュー画面を見ながら被験者を誘導して所定の位置にセットすることができる。
【００５４】
また、蓄積手段２５は、上述したメンバー管理手段２３により得られるメンバー情報や撮影手段２４により得られる画像データ等の各種情報を蓄積する。また、蓄積手段２５は、撮影手段２４から得られる各測定結果を日時情報やメンバー情報と関連付けて蓄積する。
【００５５】
また、送受信手段２６は、全顔画像取得装置１１と肌状態解析装置１２との間で通信ネットワーク１３を介してデータの送受信を行うための通信インターフェースである。したがって、全顔画像取得装置１１は、送受信手段２４が肌状態解析装置１２からのメンバー情報や測定内容等の各種情報の取得要求を受信したり、入力手段２１により肌状態解析装置１２に各種情報の送信指示を受け付けたりした場合に、通信ネットワーク１３を介して肌状態解析装置１２に情報を送信する。
【００５６】
また、制御手段２７は、全顔画像取得装置１１の各構成部全体の制御を行う。具体的には、例えば撮影された画像を取得してメンバー情報と共に蓄積手段２５に蓄積させたり、メンバー登録や、撮影により取得した画像を送受信手段２６から肌状態解析装置１２に送信させる等の制御を行う。
【００５７】
＜撮像手段２４における撮影内容＞
ここで、撮像手段２４における撮影内容について説明する。撮像手段２４における画像の撮影に関しては、本実施例ではＳＩＡ等を用いて顔の正面、右側面、左側面の３方向から少なくとも１方向を選択することができ、また照明はフラッシュ撮影、拡散光による撮影、紫外線による撮影の中から選択することができる。
【００５８】
したがって、撮影手段２４における撮影内容は、毛穴解析用として正面顔のフラッシュ撮影により画像を取得する。また、ポルフィリン解析用に紫外線撮影により画像を取得する。また、しわ解析用に、左右の側面顔のフラッシュ撮影により画像を取得し、しみ、肌色解析用に左右顔の側面の拡散光撮影により画像を取得する。
【００５９】
なお、毛穴としわ解析に必要となる画像は、それぞれフラッシュ撮影により取得した画像を用いている。ここで、毛穴は鼻、しわは目尻と解析する場所が異なるため、各解析のためにそれぞれ撮影してもよいが、例えば眉間のしわを解析する場合には、毛穴解析に用いている正面のフラッシュ撮影の画像を用いて解析することもできる。
【００６０】
また、上述した照明条件及び顔の向きによる撮影においては、照明条件と顔方向によって１つずつ撮影してもよいが、時間短縮のため、正面もしくは左顔、右顔の各方向毎に撮影するのが好ましい。更に、撮影する照明条件が複数の場合は、撮影する前に撮影に用いる照明の準備を行い、複数の照明下で連続的に撮影を行うことで時間の短縮が可能となる。
【００６１】
＜肌状態解析装置１２＞
次に、肌状態解析装置１２の機能構成例について図を用いて説明する。図３は、肌状態解析装置の機能構成の一例を示す図である。図３に示す肌状態解析装置１２は、入力手段３１と、出力手段３２と、メンバー管理手段３３と、解析手段３４と、表示画面生成手段３５と、蓄積手段３６と、送受信手段３７と、制御手段３８とを有するよう構成されている。
【００６２】
入力手段３１は、医師等の使用者がメンバーの呼び出しや全顔画像取得装置１１から得られた各種データを解析、評価を行うための指示を行ったり、解析結果を表示させるための指示等を行う際の各種データの入力を受け付ける。なお、入力手段３１は、例えばキーボードや、マウス等のポインティングデバイス等からなる。
【００６３】
また、出力手段３２は、入力手段３１により入力された内容や、入力内容に基づいて実行された内容を表示する。なお、出力手段３２は、ディスプレイやスピーカ等からなる。更に、出力手段３２は、プリンタ等の機能を有していてもよく、その場合には、簡単な測定結果を紙等の印刷媒体に印刷して、被験者等に提供することもできる。
【００６４】
また、メンバー管理手段３３は、蓄積手段３６に蓄積されているメンバーの個人情報及び測定回数等を管理する。具体的には、メンバー管理手段３３は、メンバーの登録を行ったり、既に登録され蓄積手段３６に蓄積されているメンバーを呼び出し、参照、修正、削除等を行うことができる。なお、蓄積手段３６に蓄積されるメンバー情報は、上述した肌観察装置１１において登録される内容と略同様である。
【００６５】
解析手段３４は、全顔画像取得装置１１から得られた各種画像データに基づいて毛穴、角栓のポルフィリン、しわ、しみ、肌色のうち少なくとも１つの解析を行う。なお、解析手段３４における解析手法について後述する。
【００６６】
表示画面生成手段３５は、解析手段３４において解析を実行する画像から所定の領域を選択させるための画面や解析手段３４において解析された結果を所定の解析結果の表示内容に基づいて表示画面を生成する。また、表示画面生成手段３５は生成された内容を出力手段３２に出力し、画面に表示する。
【００６７】
ここで、表示画面生成手段３５において生成される画面を用いた処理内容について説明する。表示画面生成手段３５は、毛穴解析結果、ポルフィリン解析結果、しわ解析結果、しみ解析結果、肌色解析結果の中から少なくとも１つを表示する。
【００６８】
具体的には、例えば直前に測定したデータ等のも含めて、過去に測定した画像を一覧で複数画像表示することができる。更に、複数画像の中から一枚の画像を選択し、その画像の中から解析する範囲をマウス等の入力手段３１を用いて設定することができる。また、表示画面生成手段３５は、設定された解析対象範囲のＸＹ座標を取得し、そのＸＹ座標に基づいて他の画像上にも解析対象範囲を対応づけて表示させることができる。これにより、解析する全ての画面に対して解析範囲を設定する必要がなく、効率的且つ迅速に解析範囲を設定することができる。また、他の画像との解析範囲の誤差を無くして高精度な解析を実現することができる。なお、表示画面生成手段３５は解析領域を画像毎に個別に設定することもできる。
【００６９】
また、表示画面生成手段３５は、解析領域を選択した画像に対して各解析を行って得られた結果画像（抽出箇所もしくは濃度分布を着色した画像）を元画像に貼り付ける。更には、数値解析等を行った結果をグラフ等に表示させる。
【００７０】
上述したように表示画面生成手段３５により生成される画面に基づいて、カウンセラーや医師等の使用者は、被験者の肌状態の多角的な解析を高精度に行うことができ、また表示された解析結果から肌状態に対して適切な診断を行うことができる。
【００７１】
また、蓄積手段３６は、全顔画像取得装置１１から取得されるメンバー情報や各種画像データ、解析手段３４により解析結果等を蓄積する。なお、蓄積手段３６は、画像データや解析結果等を測定日時情報及びメンバー情報に関連づけて蓄積する。これにより、上述した被験者毎の履歴情報を蓄積することができ、必要に応じて各種データを取得することができる。
【００７２】
なお、蓄積手段３６におけるデータ容量を削減するため、蓄積手段３６に解析結果は蓄積せず、解析指示があった場合にその都度画像データ等を読み出し解析手段３４により解析を行って解析結果を表示させる処理を行うことができる。
【００７３】
送受信手段３７は、肌状態解析装置１２と全顔画像取得装置１１との間で通信ネットワーク１３を介してデータの送受信を行うための通信インターフェースである。したがって、肌状態解析装置１２は、全顔画像取得装置１１にて得られた各種の情報を通信ネットワーク１３を介して取得する。また、全顔画像取得装置１１に各種情報の取得要求を行い、まだ送信されていない情報があれば、その情報を取得する。
【００７４】
更に、制御手段３８は、肌状態解析装置１２の各構成部全体の制御を行う。具体的には、全顔画像取得装置１２からの測定結果を送受信手段３７で受信させたり、蓄積手段３６への測定データの蓄積、測定データの解析、評価、表示出力等の各処理の制御を行う。
【００７５】
＜解析手法＞
ここで、本発明における毛穴、角栓のポルフィリン、しわ、しみ、肌色の各解析手法の一例について説明する。
【００７６】
＜毛穴解析＞
毛穴解析では、フラッシュ撮影した正面顔画像から解析したい領域を多角形や円形、楕円形等の形状で選択し、その選択した領域内において毛穴解析を行う。具体的には、毛穴の数と総面積を数値化し、抽出した領域を着色する。
【００７７】
ここで、毛穴解析の具体的な例について図を用いて説明する。図４は、毛穴解析手順の一例を示す図である。まず、入力画像から毛穴解析の対象となる領域の選択を受け付けると（Ｓ０１）、その選択された画像領域のＲＧＢ成分からＧ成分の画像を抽出する（Ｓ０２）。なお、ＲＧＢ成分の抽出は、画像の各画素が持っているＲＧＢのデータを用いて抽出を行う。
【００７８】
次に、Ｓ０２にて得られるＧ画像の平滑化を行う（Ｓ０３）。ここで、例えば８ｂｉｔで画像サイズが１９４４×１９４４の中に全顔が入っている場合、平滑化フィルターサイズは縦横それぞれ２〜１６画素が好ましい。
【００７９】
次に、Ｓ０２の処理により得られたＧ画像とＳ０３の処理により得られた平滑化画像の差分から毛穴強調を行う（Ｓ０４）。具体的には、「平滑化画像−Ｇ画像×ａ（ａは０．５〜１．５が好ましい）」により差分を行う。これにより、毛穴は小さく影になっている又は小さく赤い部分を抽出して解析対象を浮き立たせることができる。
【００８０】
更に、差分画像を二値化（二値化ラインは３０〜７０が好ましい）することで毛穴を抽出し（Ｓ０５）、その画像を拡大して所定の面積を有する部分を抽出してノイズの除去を行い（Ｓ０６）、毛穴画像を抽出する（Ｓ０７）。具体的には、１〜３画素程度拡大し、４〜３０画素の面積を有する部分を毛穴として抽出する。更に、毛穴の数と総面積を計算し（Ｓ０８）、元画像に赤や緑等、肌の色とは異なる色で抽出領域を着色する（Ｓ０９）。なお、上記実施例で毛穴として抽出された４〜３０画素は、実際の皮膚上では０．０２〜０．５ｍｍ２の面積に相当する。
【００８１】
なお、上述したＳ０２の処理においては、Ｇ成分ではなくＲ成分の画像を抽出し対応させて後述の処理を行っても同様の毛穴解析を行うことができる。
【００８２】
＜角栓のポルフィリン解析＞
ポルフィリン解析では、紫外線（ＵＶ）照明下で可視光を受光して撮影された正面顔画像から解析したい領域を多角形や円形、楕円形等の形状で選択し、その選択した領域内においてポルフィリン解析を行う。具体的にはポルフィリン由来と考えられる蛍光の数と総面積を数値化し、その抽出領域を着色する。
【００８３】
ここで、ポルフィリン解析の具体的な例について図を用いて説明する。図５は、ポルフィリン解析手順の一例を示す図である。まず、入力画像からポルフィリン解析の対象となる領域の選択を受け付けると（Ｓ１１）、その選択された画像領域のＲＧＢ成分からＲ成分の画像を抽出する（Ｓ１２）。
【００８４】
次に、Ｓ１２にて得られるＲ画像の平滑化を行う（Ｓ１３）。ここで、例えば８ｂｉｔで画像サイズが１９４４×１９４４の中に全顔が入っている場合、平滑化フィルターサイズは縦横それぞれ２〜２５画素が好ましい。
【００８５】
次に、Ｓ１２の処理により得られたＲ画像とＳ１３の処理により得られた平滑化画像の差分から蛍光強調を行う（Ｓ１４）。具体的には、「平滑化画像−Ｒ画像×ａ（ａは０．５〜１．５が好ましい）」により差分を行い、蛍光領域（赤く強く光った領域）を抽出する。
【００８６】
更に、差分画像を二値化（二値化ラインは３０〜７０が好ましい）し（Ｓ１５）、蛍光部位を抽出する（Ｓ１６）。ここで、蛍光の数と総面積を計算し（Ｓ１７）、元画像に赤や緑等、肌の色とは異なる色で抽出領域を着色する（Ｓ１８）。
【００８７】
＜しわ解析＞
しわ解析では、フラッシュ撮影された左右の側面顔画像から解析したい領域を多角形や円形、楕円形等の形状で選択し、その選択した領域内において、しわ解析を行う。具体的にはしわの数と総面積を数値化し、抽出領域を着色する。
【００８８】
ここで、しわ解析の具体的な例について図を用いて説明する。図６は、しわ解析手順の一例を示す図である。まず、入力画像（例えば、８ｂｉｔで画像サイズが１９４４×１９４４の中に全顔が入っているもの）からしわ解析の対象となる領域の選択を受け付けると（Ｓ２１）、その選択された画像領域のＲＧＢ成分からＲ成分及びＧ成分の画像を抽出する（Ｓ２２）。
【００８９】
次に、Ｓ１２にて得られるＲ画像及びＧ画像の差分画像を取得する（Ｓ２３）なお、具体的には、Ｒ−Ｇの差分演算式として「Ｒ−Ｇ×Ｒ＿ａｖｅ／Ｇ＿ａｖｅ×ａ（ａは０．７〜１．５が好ましい）（＿ａｖｅは平均値を示す）」を用いて算出することができる。次に、Ｓ２３の処理にて得られたＲ−Ｇ画像、及びＳ２２の処理にて得られたＧ画像の歪みの補正を行う（Ｓ２４）。具体的には、例えばガウシアンフィルタ等を用いて歪み補正を行う。このとき、カットオフ周波数は、３μｍ〜３０μｍにするのが好ましい。
【００９０】
次に、微分フィルタにより歪み補正された画像（Ｒ−Ｇ画像、Ｇ画像）によりしわの強調を行う（Ｓ２５）。具体的には、５〜２０画素を画像サイズの基準としてフィルタリングを行う。これにより、目尻のしわは細長く、横方向に影になっている部分を抽出することができる。
【００９１】
また、微分フィルタによりフィルタリングされた画像を二値化してしわの抽出を行う（Ｓ２６)。ここで、Ｒ−Ｇ画像における二値化ラインは、１２５〜１６０が好ましく、Ｇ画像の二値化ラインは８０〜１２０が好ましい。
【００９２】
次に、二値化した画像のノイズを除去し（Ｓ２７）、しわ画像を抽出する（Ｓ２８）。ノイズ除去では、メディアンフィルタとラベリング処理により、十字型サイズが縦横各３〜７画素、更に面積が４０〜３００画素をしわとして抽出する。次に、しわの数と総面積を計算し（Ｓ２９）、元画像に赤や緑等、肌の色とは異なる色で抽出領域を着色する（Ｓ３０）。なお、上記実施例でしわとして抽出された４０〜３００画素は、実際の皮膚上では０．５〜４．０ｍｍ２の面積に相当する。
【００９３】
＜しみ解析＞
しみ解析では、拡散光撮影された左右の側面顔画像から解析したい領域を多角形や円形、楕円形等の形状で選択し、その選択した領域内において、しみ解析を行う。具体的には、しみの数とメラニン量を数値化し、抽出領域を着色する。
【００９４】
ここで、しみ解析については、例えば特開２０００−３５０７０２号公報に示されている手法を用いて解析することができるが、本発明における解析手法はこれに限定されない。
【００９５】
＜肌色（メラニン）解析＞
肌色解析では、拡散光撮影された左右の側面顔画像から解析したい領域を多角形や円形、楕円形等の形状で選択し、その選択した領域内において、メラニン解析を行う。具体的には、メラニン濃度を数値化し、濃度分布を着色する。
【００９６】
ここで、メラニンを用いた肌色解析については、例えば特開２０００−３５０７０２号公報に示されている手法を用いて解析することができるが、本発明における解析手法はこれに限定されない。
【００９７】
ここで、上述した肌状態解析装置１２は、上述した機能を有する専用の装置構成により制御を行うこともできるが、各機能をコンピュータに実行させることができる実行プログラムを生成し、例えば、汎用のパーソナルコンピュータ、サーバ等にその実行プログラムをインストールすることにより、本発明における肌状態解析処理を実現することができる。
【００９８】
＜ハードウェア構成＞
ここで、本発明における肌状態解析が実現可能なコンピュータのハードウェア構成例について図を用いて説明する。図７は、本発明における肌状態解析が実現可能なハードウェア構成の一例を示す図である。
【００９９】
図７におけるコンピュータ本体には、入力装置４１と、出力装置４２と、ドライブ装置４３と、補助記憶装置４４と、メモリ装置４５と、各種制御を行うＣＰＵ（Ｃｅｎｔｒａｌ  Ｐｒｏｃｅｓｓｉｎｇ  Ｕｎｉｔ）４６と、ネットワーク接続装置４７とを有するよう構成されており、これらはシステムバスＢで相互に接続されている。
【０１００】
入力装置４１は、ユーザが操作するキーボード及びマウス等のポインティングデバイスを有しており、ユーザからのプログラムの実行等、各種操作信号を入力する。出力装置４２は、本発明における処理を行うためのコンピュータ本体を操作するのに必要な各種ウィンドウやデータ等を表示するモニタを有し、ＣＰＵ４６が有する制御プログラムによりプログラムの実行経過や結果等を表示することができる。
【０１０１】
ここで、本発明において、コンピュータ本体にインストールされる実行プログラムは、例えば、ＣＤ−ＲＯＭ等の記録媒体４８等により提供される。プログラムを記録した記録媒体４８は、ドライブ装置４３にセット可能であり、記録媒体４８に含まれる実行プログラムが、記録媒体４８からドライブ装置４３を介して補助記憶装置４４にインストールされる。
【０１０２】
補助記憶装置４４は、ハードディスク等のストレージ手段であり、本発明における実行プログラムや、コンピュータに設けられた制御プログラム等を蓄積し必要に応じて入出力を行うことができる。
【０１０３】
ＣＰＵ４６は、ＯＳ（Ｏｐｅｒａｔｉｎｇ  Ｓｙｓｔｅｍ）等の制御プログラム、及びメモリ装置４５により読み出され格納されている実行プログラムに基づいて、各種演算や各ハードウェア構成部とのデータの入出力等、コンピュータ全体の処理を制御して、肌状態解析等における各処理を実現することができる。プログラムの実行中に必要な肌測定結果等の各種情報等は、補助記憶装置４４から取得することができ、また実行結果等を格納することもできる。
【０１０４】
ネットワーク接続装置４７は、通信ネットワーク等と接続することにより、実行プログラムを通信ネットワーク１３に接続されている他の端末等から取得したり、プログラムを実行することで得られた実行結果又は本発明における実行プログラム自体を他の端末等に提供することができる。上述したようなハードウェア構成により、本発明における肌状態解析処理を実行することができる。また、プログラムをインストールすることにより、汎用のパーソナルコンピュータ等で本発明における肌画像の解析を容易に実現することができる。次に、肌状態解析処理の具体的な内容について説明する。
【０１０５】
＜肌状態解析処理手順＞
次に、本発明における肌状態解析システムの一例の処理手順についてフローチャートを用いて説明する。図８は、本発明における肌状態解析処理手順の一例を示すフローチャートである。なお、図８に示すフローチャートは、上述した全顔画像取得装置１１と肌状態解析装置１２とにおける肌状態解析システムについての処理手順である。
【０１０６】
図８に示すフローチャートでは、まず肌解析を行うにあたり、被験者がメンバー登録されているか否かを判断する（Ｓ４１）。ここで、メンバー登録されていない場合（Ｓ４１において、ＮＯ）、メンバーの登録を行う（Ｓ４２）。なお、登録されるメンバー情報としては、上述したメンバー管理手段２３で示したように、各測定内容を識別するための「カルテＮｏ．」や、「氏名」、「生年月日」、「性別」、「測定部位」、「メモ（備考）」等がある。また、登録されるメンバー情報は、本発明においては特に制限されることはなく、例えば「生年月日」の変わりに「年代」等を登録するような設定にしてもよい。
【０１０７】
また、Ｓ４１の処理において、メンバーが登録されているか否かを判断する場合は、蓄積手段に蓄積されている情報から「カルテＮｏ．」や「氏名」等を用いて検索することで、メンバーの登録の有無を確認することができる。
【０１０８】
また、メンバーの登録後、解析内容の設定を行う（Ｓ４３）。具体的には、上述したように、肌の毛穴、角栓のポルフィリン、しわ、しみ、肌色のうち少なくとも１つの測定が設定された情報を取得する。
【０１０９】
次に、Ｓ４３の処理において、取得した設定条件の解析を行うため、所定条件で全顔画像の撮影を行う（Ｓ４４）。なお、撮影（測定）する際には、測定日時を取得しておき、その日時情報とメンバー情報と共に測定画像を蓄積する（Ｓ４５）。日時情報と共に蓄積することで、解析処理において、メンバー毎の測定結果を履歴情報等に基づいて経時的に表示することができる。
【０１１０】
次に、測定された結果に基づいて、設定により肌の毛穴、角栓のポルフィリン、しわ、しみ、肌色のうち、少なくとも１つの解析を行い（Ｓ４６）、その解析結果を画面に表示するための表示画面を生成し（Ｓ４７）、生成した画面をディスプレイ等の出力手段を介して医師や被験者等に提示する（Ｓ４８）。また、解析結果を蓄積し（Ｓ４９）、処理を終了する。
【０１１１】
なお、上述したＳ４１〜Ｓ４９の処理において、Ｓ４１〜Ｓ４５を全顔画像取得処理とし、Ｓ４６〜Ｓ４９を肌状態解析処理として、別プログラムとして個々の装置にインストールされてもよく、同一の装置にインストールされてもよい。つまり、全顔画像の取得のみを行う場合には、Ｓ４１〜Ｓ４５までの処理を実行すればよく、肌状態の解析を行う場合には、Ｓ４６〜Ｓ４９までの処理を行えばよい。
【０１１２】
上述したように本発明における肌状態解析処理により、各解析内容に適した画像を用いることで最適な結果値の算出や解析結果の表示を行うことができる。更に、年代分布や経時分布の結果等の肌状態の多角的な解析を高精度に行うことができる。
【０１１３】
＜表示画面例＞
次に、本発明における表示画面例について、図を用いて説明する。なお、以下に示す画面例は、例えばメインメニュー等を設けてその情報から選択することができる。また、各画面における表示領域の位置関係やレイアウトにおいては、本発明においては限定されるものではない。
【０１１４】
＜メンバー管理画面＞
図９は、メンバー管理画面の一例を示す図である。図９に示すメンバー管理画面５０は、メンバー選択領域５１と、メンバー一覧表示領域５２とを有するよう構成されている。メンバー選択領域５１には、「カルテＮｏ．」、「氏名」、「生年月日」、「性別」、「測定部位」、「前回測定日」等の入力を行うことができる。また、メンバー選択領域５１には、備考記入領域５３も設けられている。更に、メンバー選択領域５１には、検索ボタン、クリアボタン、解析ボタン等が設けられている。
【０１１５】
まず、被験者のメンバー情報が含まれているかを確認する場合、例えば図９に示す「カルテＮｏ．」や「氏名」等を入力して検索ボタンを選択（クリック）する。もし登録されていれば、他の項目（「性別」、「生年月日」、「測定部位」、「前回測定日」等）が表示されるため、メンバー登録の有無を確認することができる。なお、クリアボタンは、検索の際入力された「カルテＮｏ．」や「氏名」のデータをクリアにする。また、解析ボタンは、実際に被験者の全顔画像を撮影し、肌の測定を行う場合に選択する。
【０１１６】
また、上述したような検索をした結果、被験者がメンバー登録されていない場合、又は検索の結果該当するメンバー情報がなかった場合には、その旨を示すメッセージを表示する。また、メンバー情報が存在しない場合には、メンバー登録を行う。その場合には、例えば、上述した「カルテＮｏ．」、「氏名」、「性別」、「生年月日」、「測定部位」、「前回測定日」、及び備考内容表示領域５３に備考内容等を必要に応じて入力した後、新規登録を行うことで、メンバーとして登録されメンバー一覧表示領域５２に登録されたメンバー情報が表示される。また、メンバー管理画面５０は、メンバーの登録数を表示する登録数表示領域５４を設けていてもよく、また、メインメニュー等があれば、メインメニューに戻るためのメインメニューボタン５５を設けていてもよい。
【０１１７】
＜測定履歴一覧表示画面＞
図１０は、測定履歴一覧表示画面の一例を示す図である。図１０に示す測定履歴一覧表示画面６０は、メンバー情報表示領域６１と、測定履歴表示領域６２とを有するよう構成されている。メンバー情報表示領域６１は、その測定履歴に対応するメンバー情報（「カルテＮｏ．」、「氏名」、「生年月日」、「性別」等）が表示される。また、測定履歴表示領域６２には、測定日時に対応して番号が付与された「履歴番号」及び「測定日」に対応させて、毛穴、角栓、しわ、しみ、肌色の各測定のうち、実施した測定内容に「●」が表示される。これにより、いつどの測定を行ったかを容易に把握することができ、被験者により測定内容の設定を履歴情報に基づいて正確に行うことができる。また、新たに測定する場所の選択する際の参考にすることができる。なお、蓄積されるメンバー毎の履歴数については、特に限定されないが、所定数（例えば、最大１２履歴等）を設定してもよい。
【０１１８】
＜撮影位置設定画面＞
図１１は、撮影位置設定画面の一例を示す図である。図１１に示す撮影位置設定画面７０は、メンバー情報表示領域７１と、履歴画像表示領域７２と、測定位置調整画面表示領域（プレビュー領域）７３とを有するよう構成されている。なお、図１１（ａ）は正面画像、図１１（ｂ）は右側面画像、図１１（ｃ）は左側面画像のそれぞれの撮影時を示す図である。
【０１１９】
メンバー情報表示領域７１は、表示された画像が誰のものであるかと特定するため、例えば「測定日」や「カルテＮｏ．」、「氏名」等が表示される。
【０１２０】
被験者の全顔画像の撮影は、例えば、各照明条件において、正面、右側面、左側面と測定するが、本発明では履歴画像と共に解析する場合もあるため、過去の画像と同一の顔の位置で画像を撮影することが好ましい。したがって、測定位置調整画面表示領域７３において、まず被験者７４は顎を固定された台座７５の所定位置におく。このとき、測定位置調整画面表示領域７３には、顔の輪郭やセンターライン、目や口、鼻の位置が所定の位置にくるように、顔の位置を調整する基準となるガイド線７６を画面上に表示させる。
【０１２１】
ここで、ガイド線７６は、予め設定された平均的な顔の輪郭等に基づいて作成されていてもよく、また、被験者毎に最適なガイド線を表示するため、被験者毎に以前撮影した画像から画像処理を行い顔の輪郭又は目・鼻・口の配置を算出し、プレビュー画像のガイド線を作成してもよい。更に、プレビュー画面からリアルタイムで顔の輪郭又は目・鼻・口の位置を算出し、以前撮影した画像とのずれ量を算出して、以前撮影した位置になるよう音声等により指示するようにしてもよい。また、撮影後の画像から画像処理により顔の位置を特定し、画像を回転、上下左右の移動等をさせることで、以前撮影した顔の位置に移動させてもよい。
【０１２２】
なお、ガイド線７６は、図１１（ａ）に示すように正面用や、図１１（ｂ）に示す右側面用、又は左側面用のガイド線がそれぞれの撮影時に表示される。使用者は画面に表示されるガイド線７６の所定の位置に被験者７４の顔が移動されるように誘導する。
【０１２３】
なお、前回撮影している被験者の場合には、前回はどのような位置で撮影したかを容易に確認できるようにするため、履歴画像表示領域７２に設けられた履歴画像選択領域７７により被験者の測定履歴が表示され、使用者がマウス等の入力手段で所定の履歴情報を選択すると、そのときに撮影された画像がガイド線と共に表示される。これにより、前回撮影された画像を参考にして同様の位置での撮影を容易に行うことができる。
【０１２４】
更に、画像の撮影の際には、所定の色を有する校正板７８を同時に撮影することで、撮影後の色の補正を高精度に行うことができる。
【０１２５】
なお、本実施例における被験者の全顔の撮影は、正面、右側面、左側面の３種類であるため、それぞれを順番に撮影していくように、撮影位置設定画面７０は、各画面に遷移させ、更に画像を行うボタン群７９を有している。具体的には、戻るボタン、又は次へボタンにより画面間の移動を行い、測定ボタンにより撮影を行う。
【０１２６】
また、撮影した画像は測定位置調整画面表示領域７３に表示されるため、そこで確認することができ、必要に応じて取り直すことができる。また、適切な画像が取得できたと判断した場合は、撮影した画像が蓄積手段２５に蓄積される。
【０１２７】
＜撮影結果一覧画面＞
図１２は、撮影結果一覧画面の一例を示す図である。ここで、図１２に示す撮影結果一覧画面８０は、撮影した画像の内容を確認することができる画面である。撮影結果一覧画面８０は、メンバー情報表示領域８１と、撮影画像表示領域８２とを有するよう構成されている。メンバー情報表示領域８１は、表示された画像が誰のものであるかと特定するため、例えば「測定日」や「カルテＮｏ．」、「氏名」等が表示される。
【０１２８】
撮影画像表示領域８２には、具体的に上述したように画像の撮影に関しては、正面、左顔、右顔の３方向から選択された画像が表示され、照明はフラッシュ撮影（Ｎｏｒｍａｌ）により撮影された画像（８２−１〜８２−３）、拡散光（Ｄｉｆｆｕｓｅ）により撮影された画像（８２−４，８２−６）、紫外線（ＵＶ）により撮影された画像（８２−５）の中から選択された画像が表示される。なお、撮影していない画像については、その項目は空欄で表示される。
【０１２９】
また、撮影結果一覧画面８０は、メンバー情報表示領域８１にある「測定日」を設定することができ、「測定日」に以前測定した測定日を入力すれば、その当時の履歴画像を蓄積手段から抽出して表示することができる。
【０１３０】
ここで、撮影結果一覧画面８０には、タブ８３が設けられている。具体的には、例えば測定一覧タブ８３−１、毛穴解析タブ８３−２、角栓タブ８３−３、しわ（右）解析８３−４、しわ（左）８３−５、しみ（右）８３−６、しみ（左）８３−７、肌色（右）８３−８、肌色（左）８３−９を設けており、各タブを選択することにより、それぞれの測定、解析結果に対応する詳細情報が表示される。
【０１３１】
＜毛穴解析領域設定画面＞
図１３は、毛穴解析領域設定画面の一例を示す図である。図１３に示す毛穴解析領域設定画面９０は、まず図１３（ａ）に示すように、今回撮影した画像と、以前測定した正面画像が複数表示される。具体的には、測定日表示領域９１−１〜９１−６と測定日に撮影された画像表示領域９２−１〜９２−６とを有するよう構成される。ここで、撮影した画像から画像のどの部分を撮影するかを選択する場合、表示された画面のうち、１つの画面を選択すると、図１３（ｂ）に示すような画面が表示される。図１３（ｂ）は、解析範囲を設定するための画面であり、解析エリア呼び出し領域９３と、全・個別選択範囲設定領域９４と、選択画面表示領域９５が設けられている。
【０１３２】
ここで、解析範囲を設定する場合、マウスやキーボード等の入力手段を用いて選択画面表示領域９５に表示された顔を基準に範囲の設定を行う。なお、範囲の設定は、多角形や円形、楕円形等の種々の形で領域の設定を行うことができる。ここで、設定された様子を図１３（ｃ）に示す。図１３（ｃ）に示すように、選択画面表示領域９５には、鼻周辺領域が設定されている。
ここで、解析エリア呼び出し領域９３には、以前設定した解析エリアの情報が蓄積手段に登録されており、これらの登録内容から１つを選択することにより、前回の設定を画像に反映させることができる。
【０１３３】
更に、全・個別選択範囲設定領域９４には、全画像に共通して範囲選択の場合（図１３において、「全選択」）と、１画像毎に個別に範囲を設定する場合（図１３において、「個別選択」）があり、例えば、「全選択」を指定することにより、図１３（ｄ）に示すように、設定された解析対象範囲９６のＸＹ座標を基準として他の画像の全てに同一の解析対象範囲が設定されるようになる。これにより、容易に全画面の解析範囲を設定することができる。
【０１３４】
ここで、他の解析における範囲指定においても表示される画像は異なるものの範囲指定の手法は同一であるため、他の解析における範囲指定の説明は省略する。
【０１３５】
＜毛穴解析結果表示画面＞
解析範囲の設定後、上述した図１３（ｄ）に表示される解析ボタン９７を選択することにより、上述した手法を用いた解析が行われ、解析結果が表示される。図１４は、毛穴解析結果表示画面の一例を示す図である。図１４に示す毛穴解析結果表示画面１００は、測定日選択部１０１と、画像表示領域１０２、解析結果表示領域１０３と、測定経過表示領域１０４とを有するよう構成されている。
【０１３６】
測定日選択部１０１は、コンボボックス等からなり、今まで測定した履歴の中から所望する測定日の画像を画像表示領域１０２に表示させ、更に解析対象範囲における毛穴解析の解析結果である毛穴の個数、面積を解析結果表示領域１０３に表示させる。
【０１３７】
また、毛穴の個数及び面積については、測定日毎の個数の解析結果を測定経過表示領域１０４−１に表示する。また、測定日毎の面積の解析結果を測定経過表示領域１０４−２に表示する。これにより、他の履歴情報も閲覧することができる。
【０１３８】
ここで、測定経過表示領域１０４の横軸は日付を示し、縦軸は各評価結果の値に対応して設定されている。また、図１４に示す横軸の日付は、測定回数で均等な幅に区切って示しているが、本発明においては、この限りではなく、日付基準に幅を設定することで、測定していない日における肌の状態をその前後の測定日に測定した結果から推測することができる。これにより、いままでの肌の経時的な状態や、今後の予想を高精度に行うことができる。
【０１３９】
＜角栓（ポルフィリン）結果表示画面＞
図１５は、角栓解析結果画面の一例を示す図である。図１５に示す角栓解析結果画面１１０は、測定日選択部１１１と、画像表示領域１１２と、解析結果表示領域１１３と、測定経過表示領域１１４とを有するよう構成されている。
【０１４０】
測定日選択部１１１は、コンボボックスからなり、今まで測定した履歴の中から所望する測定日の画像を画像表示領域１１２に表示させ、更に解析範囲における上述の手法でポルフィリン解析した解析結果の個数、面積を解析結果表示領域１１３に表示させる。
【０１４１】
また、角栓の個数及び面積については、測定日毎の個数の解析結果を測定経過表示領域１１４−１に表示する。また、測定日毎の面積の解析結果を測定経過表示領域１１４−２に表示する。これにより、他の履歴情報も閲覧することができる。
【０１４２】
＜しわ解析表示画面＞
図１６は、しわ解析結果表示画面の一例を示す図である。図１６に示すしわ解析結果表示画面１２０は、測定日選択部１２１と、画像表示領域１２２と、解析結果表示領域１２３と、測定経過表示領域１２４とを有するよう構成されている。
【０１４３】
測定日選択部１２１は、コンボボックス等からなり、今まで測定した履歴の中から所望する測定日の画像を画像表示領域１２２に表示させ、更に解析範囲における上述の手法で解析した解析結果のしわの本数、面積を解析結果表示領域１２３に表示させる。
【０１４４】
また、しわの本数及び面積については、測定日毎の本数の解析結果を測定経過表示領域１２４−１に表示する。また、測定日毎の面積の解析結果を測定経過表示領域１２４−２に表示する。これにより、他の履歴情報も閲覧することができる。
【０１４５】
なお、図１６は、しわ（右）解析のものであるが、しわ（左）解析もしわ（右）に対応した同様の解析を行いその結果を表示する。
【０１４６】
＜しみ解析表示画面＞
図１７は、しみ解析結果表示画面の一例を示す図である。図１７に示すしみ解析結果表示画面１３０は、測定日選択部１３１と、画像表示領域１３２と、解析結果表示領域１３３と、測定経過表示領域１３４とを有するよう構成されている。
【０１４７】
測定日選択部１３１は、コンボボックス等からなり、今まで測定した履歴の中から所望する測定日の画像を画像表示領域１３２に表示させ、更に解析範囲における上述の手法で解析した解析結果のしみの面積及びメラニン量を解析結果表示領域１３３に表示させる。
【０１４８】
また、しみの面積及びメラニン量については、測定日毎の面積の解析結果を測定経過表示領域１３４−１に表示する。また、測定日毎のメラニン量の解析結果を測定経過表示領域１３４−２に表示する。これにより、他の履歴情報も閲覧することができる。
【０１４９】
なお、図１７は、しみ（右）解析のものであるが、しみ（左）解析もしみ（右）に対応した同様の解析を行いその結果を表示する。
【０１５０】
＜肌色解析表示画面＞
図１８は、肌色解析結果表示画面の一例を示す図である。図１８（ａ）に示す肌色解析結果表示画面１４０は、測定日選択部１４１と、画像表示領域１４２と、解析結果表示領域１４３と、測定経過表示領域１４４とを有するよう構成されている。
【０１５１】
測定日選択部１４１は、コンボボックス等からなり、今まで測定した履歴の中から所望する測定日の画像を画像表示領域１４２に表示させ、更に解析範囲における上述の手法で解析した解析結果のメラニン濃度を解析結果表示領域１４３に表示させる。また、メラニン濃度については、測定日毎の面積の解析結果を測定経過表示領域１４４に表示する。
【０１５２】
ここで、上述した解析結果の例では、それぞれの測定経過表示領域に履歴情報を表示していたが、本発明においてはこの限りではなく、例えば、図１８（ｂ）に示すように横軸を年齢とした年齢分布表示領域１４５を設け、そこに被験者の年齢に対応した位置に測定結果を表示させてもよい。
【０１５３】
このとき、年齢分布表示領域１４５には、それぞれ評価結果を分類するゾーン１４６が表示されている。このゾーン１４６は、予め蓄積された年齢別の評価結果に基づいて、設定された評価結果の範囲を示すものであり、例えば、「良好ゾーン」、「普通ゾーン」、「あと一歩ゾーン」、「頑張りましょうゾーン」等に分類が分けられている。したがって、被験者が同年代と比較してどの状態にあるかを正確に把握することができる。
【０１５４】
なお、このゾーンは色分けされて表示されてもよく、斜線や網線等により表示されていてもよい。また、ゾーンの設定には、所定の関数等を用いて設定することが好ましい。これにより、高精度なゾーンの設定を行うことができる。例えば、例えば各年代毎の６７％の人がいる平均値±標準偏差のゾーンと、９５％の人が存在する平均値±１．９５×標準偏差のゾーンを分けて表示させる。なお、図１８（ａ）、（ｂ）に示す測定経過表示領域１４４と年齢分布表示領域を１画面上で表示させてもよい。
【０１５５】
なお、図１８は、肌色（右）解析のものであるが、肌色（左）解析も肌色（右）に対応した同様の解析を行いその結果を表示する。
【０１５６】
なお、上述した各種画面例のうち、メンバー管理画面５０、測定履歴一覧表示画面６０、撮影位置設定画面７０は、撮影結果一覧画面８０は、全顔画像取得装置１１の画面で表示でき、メンバー管理画面５０、測定履歴一覧表示画面６０、撮影結果一覧画面８０、毛穴解析領域設定画面９０、毛穴解析結果表示画面１００、角栓解析結果画面１１０、しわ解析結果表示画面１２０、しみ解析結果表示画面１３０、肌色解析結果表示画面１４０は、肌状態解析装置１２の画面で表示できる。
【０１５７】
上述したように、本発明によれば、肌の毛穴、角栓のポルフィリン、しわ、しみ、肌色の解析結果から肌状態の多角的な解析を高精度に行うことができる。具体的には、毛穴、しわ解析にはフラッシュ撮影した画像を用い、しみ、肌色解析には拡散光撮影した画像を用い、角栓のポルフィリン解析には紫外線照明下で可視光を受光して撮影した画像を用いて解析を行うことで高精度な肌解析を実現することができる。
【０１５８】
なお、上述した肌状態解析システムは、特に肌の毛穴、角栓のポルフィリン、しわ、しみ、肌色を解析、評価するものであるが、上述したように経時的に評価結果を表示する手法においては、肌のくすみ、肌の弾力、色素の沈着状態等を解析してこれらの解析結果と本発明における肌状態解析結果とを組み合わせて肌状態の診断等を行ってもよい。
【０１５９】
このように、本発明を適用することにより、例えば、医療や化粧品の販売等において、専門家に限らず、本発明における数値等で表現された解析結果や経時的に表示された内容を用いて均一的に高精度な肌診断又は美容カウンセリング等を実現することができる。また、本発明における肌状態解析の手法を被験者自らがセルフチェックを行う装置等に適用することもできる。
【０１６０】
以上本発明の好ましい実施例について上述したが、本発明は係る特定の実施形態に限定されるものではなく、特許請求の範囲に記載された本発明の要旨の範囲内において、種々の変形、変更が可能である。
【図面の簡単な説明】
【０１６１】
【図１】本発明における肌状態解析システムの概略構成の一例を示す図である。
【図２】全顔画像取得装置の機能構成の一例を示す図である。
【図３】肌状態解析装置の機能構成の一例を示す図である。
【図４】毛穴解析手順の一例を示す図である。
【図５】ポルフィリン解析手順の一例を示す図である。
【図６】しわ解析手順の一例を示す図である。
【図７】本発明における肌状態解析が実現可能なハードウェア構成の一例を示す図である。
【図８】本発明における肌状態解析処理手順の一例を示すフローチャートである。
【図９】メンバー管理画面の一例を示す図である。
【図１０】測定履歴一覧表示画面の一例を示す図である。
【図１１】撮影位置設定画面の一例を示す図である。
【図１２】撮影結果一覧画面の一例を示す図である。
【図１３】毛穴解析領域設定画面の一例を示す図である。
【図１４】毛穴解析結果表示画面の一例を示す図である。
【図１５】角栓解析結果画面の一例を示す図である。
【図１６】しわ解析結果表示画面の一例を示す図である。
【図１７】しみ解析結果表示画面の一例を示す図である。
【図１８】肌色解析結果表示画面の一例を示す図である。
【符号の説明】
【０１６２】
１０  肌状態解析システム
１１  全顔画像取得装置
１２  肌状態解析装置
１３  通信ネットワーク
２１，３１  入力手段
２２，３２  出力手段
２３，３３  メンバー管理手段
２４  撮影手段
２５，３６  蓄積手段
２６，３７  送受信手段
２７，３８  制御手段
３４  解析手段
３５  表示画面生成手段
４１  入力装置
４２  出力装置
４３  ドライブ装置
４４  補助記憶装置
４５  メモリ装置
４６  ＣＰＵ
４７  ネットワーク接続装置
４８  記録媒体
５０  メンバー管理画面
５１  メンバー選択領域
５２  メンバー一覧表示領域
５３  備考記入領域
５４  登録数表示領域
５５  メインメニューボタン
６０  測定履歴一覧表示画面
６１，７１，８１  メンバー情報表示領域
６２  測定履歴表示領域
７０  撮影位置設定画面
７２  履歴画像表示領域
７３  測定位置調整画面表示領域
７４  被験者
７５  台座
７６  ガイド線
７７  履歴画像選択領域
７８  校正板
７９  ボタン群
８０  撮影結果一覧画面
８２  撮影画像表示領域
８３  タブ
９０  毛穴解析領域設定画面
９１  測定日表示領域
９２  画像表示領域
９３  解析エリア呼び出し領域
９４  全・個別選択範囲設定領域
９５  選択画面表示領域
９６  解析対象範囲
９７  解析ボタン
１００  毛穴解析結果表示画面
１００  角栓解析結果画面
１０１，１１１，１２１，１３１，１４１  測定日選択部
１０２，１１２，１２２，１３２，１４２  画像表示領域
１０３，１１３，１２３，１３３，１４３  解析結果表示領域
１０４，１１４，１２４，１３４，１４４  測定経過表示領域
１１０  角栓解析結果画面
１２０  しわ解析結果表示画面
１３０  しみ解析結果表示画面
１４０  肌色解析結果表示画面
１４５  年齢分布表示領域
１４６  ゾーン
【図１】
2007152084.tif 000003
【図２】
2007152084.tif 000004
【図３】
2007152084.tif 000005
【図４】
2007152084.tif 000006
【図５】
2007152084.tif 000007
【図６】
2007152084.tif 000008
【図７】
2007152084.tif 000009
【図８】
2007152084.tif 000010
【図９】
2007152084.tif 000011
【図１０】
2007152084.tif 000012
【図１１】
2007152084.tif 000013
【図１２】
2007152084.tif 000014
【図１３】
2007152084.tif 000015
【図１４】
2007152084.tif 000016
【図１５】
2007152084.tif 000017
【図１６】
2007152084.tif 000018
【図１７】
2007152084.tif 000019
【図１８】
2007152084.tif 000020